(57)【要約】【課題】より最適なアンテナウェイトを計算すること。【解決手段】移動局と基地局とがＴＤＭＡ／ＴＤＤ方式による通信を行い、移動局は、基地局にリンクチャネル確立要求を送信し、基地局は、リンクチャネル確立要求を受信して所定時間後にリンクチャネル割当応答を送信する、無線通信システムにおいて、移動局が、リンクチャネル確立要求の送信後、基地局が前記リンクチャネル割当応答を送信するより前に所定信号を所定周期で複数回送信し、基地局が、複数の所定信号を所定周期で受信し、受信した複数の所定信号の既知部分を用いてアンテナウェイトを算出する。【選択図】図５
2014187570.tif 000002
【特許請求の範囲】
【請求項１】
移動局と基地局とがＴＤＭＡ／ＴＤＤ方式による通信を行い、前記移動局は、前記基地局にリンクチャネル確立要求を送信し、前記基地局は、前記リンクチャネル確立要求を受信して所定時間後にリンクチャネル割当応答を送信する、無線通信システムであって、
前記移動局は、
前記リンクチャネル確立要求の送信後、前記基地局が前記リンクチャネル割当応答を送信するより前に所定信号を所定周期で複数回送信する移動局送信部、を備え、
前記基地局は、
前記複数の所定信号を前記所定周期で受信する基地局受信部と、
受信した前記複数の所定信号の既知部分を用いてアンテナウェイトを算出する算出部と、を備えることを特徴とする無線通信システム。
【請求項２】
前記基地局は、前記所定信号を所定周期で複数回送信する他の移動局が存在する場合、当該他の移動局に関する情報を報知情報に含めて送信する基地局送信部をさらに備え、
前記移動局は、前記報知情報を受信する移動局受信部をさらに備え、
前記移動局送信部は、前記移動局受信部が受信した報知情報に、前記他の移動局に関する情報が含まれていると、前記所定信号を所定周期で複数回送信することを中止する、
ことを特徴とする請求項１に記載の無線通信システム。
【請求項３】
基地局とＴＤＭＡ／ＴＤＤ方式による通信を行い、前記基地局にリンクチャネル確立要求を送信し、前記基地局から前記リンクチャネル確立要求を受信して所定時間後にリンクチャネル割当応答を受信する移動局であって、
前記リンクチャネル確立要求の送信後、前記基地局が前記リンクチャネル割当応答を送信するより前に所定信号を所定周期で複数回送信する移動局送信部、を備え、
前記所定信号は、前記基地局がアンテナウェイトを算出するために用いる既知部分を含むことを特徴とする移動局。
【請求項４】
移動局とＴＤＭＡ／ＴＤＤ方式による通信を行い、前記移動局からリンクチャネル確立要求を受信し、前記リンクチャネル確立要求を受信して所定時間後にリンクチャネル割当応答を送信する、基地局であって、
前記リンクチャネル確立要求の受信後、前記基地局が前記リンクチャネル割当応答を送信するより前に所定信号を所定周期で複数回受信する基地局受信部と、
受信した前記複数の所定信号の既知部分を用いてアンテナウェイトを算出する算出部と、を備えることを特徴とする基地局。
【請求項５】
移動局と基地局とがＴＤＭＡ／ＴＤＤ方式による通信を行い、前記移動局は、前記基地局にリンクチャネル確立要求を送信し、前記基地局は、前記リンクチャネル確立要求を受信して所定時間後にリンクチャネル割当応答を送信する、無線通信システムの無線通信方法であって、
前記移動局が、前記リンクチャネル確立要求の送信後、前記基地局が前記リンクチャネル割当応答を送信するより前に所定信号を所定周期で複数回送信するステップと、
前記基地局が、前記複数の所定信号を前記所定周期で受信するステップと、
前記基地局が、受信した前記複数の所定信号の既知部分を用いてアンテナウェイトを算出するステップと、
を含むことを特徴とする無線通信方法。
【発明の詳細な説明】
【技術分野】
【０００１】
本発明は、ＴＤＭＡ／ＴＤＤ（時分割多元接続／時分割復信）方式で無線通信を行う無線通信システム、移動局、基地局、および無線通信方法に関する。
【背景技術】
【０００２】
ＴＤＭＡ／ＴＤＤ方式の無線通信システムとし、ＰＨＳ（Personal Handy-phone System）や、ＸＧＰ（eXtended Global Platform）がある。
【０００３】
これらの無線通信システムでは、図６に示すように、所定周期（ここでは５ｍｓ）のＴＤＭＡフレームが上り回線用サブフレーム（２．５ｍｓ）と下り回線用サブフレーム（２．５ｍｓ）とに区分されている。さらに、各サブフレームは、それぞれ複数のタイムスロット（ここではＳｌｏｔ１〜Ｓｌｏｔ４）に区分されている。なお、上りとは、移動局から基地局への方向を、一方、下りとは、基地局から移動局への方向を示す。
【０００４】
そして、基地局には、予め制御信号を送受信するために、下り回線用サブフレームに含まれる何れかのタイムスロット（例えば、図６のｓｌｏｔ３）と、上り回線用サブフレームに含まれる、対応するタイムスロット（例えば、図６のｓｌｏｔ３）とが制御信号用のタイムスロットとして割り当てられる。さらに、基地局は、制御信号用のタイムスロットで、２０ＴＤＭＡフレーム（１スーパーフレーム）ごと（１００ｍｓ周期）に移動局と制御信号を送受信する。そのため、制御信号用のタイムスロットには、実際に制御信号を送受信するタイムスロット（以下、上り制御信号タイムスロット、下り制御信号タイムスロットと記載する。）と、制御信号が送受信されないタイムスロット（以下、非上り制御信号タイムスロット、非下り制御信号タイムスロットと記載する。）がある。ここで、移動局が基地局に送信する制御信号としては、例えば、リンクチャネル（ＬＣＨ）確立要求がある。一方、基地局が移動局に送信する制御信号としては、例えば、ＬＣＨ確立要求に対する応答であるＬＣＨ割当応答がある。そして、ＬＣＨ確立要求が送信されてから、基地局が割当処理を開始し、ＬＣＨ割当応答が送信されるまでには、最低でも９７．５ｍｓを要する。
【０００５】
また、これら無線通信システムの基地局には、ＡＡＳ（Adaptive Antenna System）が導入されている。ＡＡＳは、複数のアンテナ素子からなるアレイアンテナにおいて、各アンテナ素子の重み付けを伝搬環境に応じてアダプティブ制御し、電波の指向性を変えるようにしたものである。ＡＡＳに対応する基地局は、移動局から送信される信号に基づき計算したアンテナウェイトを移動局へ信号を送信する時に利用し、所望の移動局へのビームフォーミングやヌルステアリング等の適応制御を行う。
【０００６】
この計算で得られたアンテナウェイトを信号送信時に用いることが有効であるためには、アンテナウェイト計算時と信号送信時とで、所望の移動局や他の妨害波源となる他の通信装置との間の伝搬環境が同じか近い環境であることが望まれる。しかしながら、ＴＤＭＡ／ＴＤＤ方式は、各通信装置の受信時刻と送信時刻が異なるため、送信時と受信時で伝搬環境が異なってしまう。
【０００７】
特に、上述した、基地局が移動局から送信されたＬＣＨ確立要求を受信し、基地局が割当処理を開始し、基地局がＬＣＨ割当を応答するまでに最低９７．５ミリ秒を要する場合、受信時刻と送信時刻とで大きな時間間隔が生じ、伝搬環境の変化が大きくなる。そのため、基地局が、ＬＣＨ確立要求受信時にアンテナウェイトを計算しても、当該アンテナウェイトは、ＬＣＨ割当応答時において効果的なアンテナウェイトとならない可能性が高い。
【０００８】
そして、上述の問題の回避案とし、基地局がＬＣＨ割当応答を送信する直前（２．５ミリ秒前）のＴＤＭＡフレームの非上り制御信号タイムスロットで移動局が当該基地局に無線信号を送信することで、当該基地局にＬＣＨ割当応答を送信する際に利用するアンテナウェイトを計算させる技術が提案されている（例えば、特許文献１を参照。）。
【先行技術文献】
【特許文献】
【０００９】
【特許文献１】特開２００９−０２１９７６号公報
【発明の概要】
【発明が解決しようとする課題】
【００１０】
しかしながら、上述の回避案は、基地局からＬＣＨ割当応答が送信される直前に移動局から１度だけ無線信号が送信されるものである。そのため、例えば、移動局が移動している状態である場合、当該ＬＣＨ割当応答の送信時に、フェージングを考慮した精度の高いアンテナウェイトを計算することができない。
【００１１】
本発明は上述の課題に鑑みてなされたものであって、その目的は、より最適なアンテナウェイトを計算する無線通信システム、移動局、基地局、および無線通信方法を提供することにある。
【課題を解決するための手段】
【００１２】
上記課題を解決するために、本発明の代表的な構成は、移動局と基地局とがＴＤＭＡ／ＴＤＤ方式による通信を行い、前記移動局は、前記基地局にリンクチャネル確立要求を送信し、前記基地局は、前記リンクチャネル確立要求を受信して所定時間後にリンクチャネル割当応答を送信する、無線通信システムであって、前記移動局は、前記リンクチャネル確立要求の送信後、前記基地局が前記リンクチャネル割当応答を送信するより前に所定信号を所定周期で複数回送信する移動局送信部、を備え、前記基地局は、前記複数の所定信号を前記所定周期で受信する基地局受信部と、受信した前記複数の所定信号の既知部分を用いてアンテナウェイトを算出する算出部と、を備える。
【００１３】
また、前記基地局は、前記所定信号を所定周期で複数回送信する他の移動局が存在する場合、当該他の移動局に関する情報を報知情報に含めて送信する基地局送信部をさらに備え、前記移動局は、前記報知情報を受信する移動局受信部をさらに備え、前記移動局送信部は、前記移動局受信部が受信した報知情報に、前記他の移動局に関する情報が含まれていると、前記所定信号を所定周期で複数回送信することを中止ようにしてもよい。
【００１４】
また、上記課題を解決するための本発明の代表的な構成は、基地局とＴＤＭＡ／ＴＤＤ方式による通信を行い、前記基地局にリンクチャネル確立要求を送信し、前記基地局から前記リンクチャネル確立要求を受信して所定時間後にリンクチャネル割当応答を受信する移動局であって、前記リンクチャネル確立要求の送信後、前記基地局が前記リンクチャネル割当応答を送信するより前に所定信号を所定周期で複数回送信する移動局送信部、を備え、前記所定信号は、前記基地局がアンテナウェイトを算出するために用いる既知部分を含む。
【００１５】
また、上記課題を解決するための本発明の代表的な構成は、移動局とＴＤＭＡ／ＴＤＤ方式による通信を行い、前記移動局からリンクチャネル確立要求を受信し、前記リンクチャネル確立要求を受信して所定時間後にリンクチャネル割当応答を送信する、基地局であって、前記リンクチャネル確立要求の受信後、前記基地局が前記リンクチャネル割当応答を送信するより前に所定信号を所定周期で複数回受信する基地局受信部と、受信した前記複数の所定信号の既知部分を用いてアンテナウェイトを算出する算出部と、を備える。
【００１６】
また、上記課題を解決するための本発明の代表的な構成は、移動局と基地局とがＴＤＭＡ／ＴＤＤ方式による通信を行い、前記移動局は、前記基地局にリンクチャネル確立要求を送信し、前記基地局は、前記リンクチャネル確立要求を受信して所定時間後にリンクチャネル割当応答を送信する、無線通信システムの無線通信方法であって、前記移動局が、前記リンクチャネル確立要求の送信後、前記基地局が前記リンクチャネル割当応答を送信するより前に所定信号を所定周期で複数回送信するステップと、前記基地局が、前記複数の所定信号を前記所定周期で受信するステップと、前記基地局が、受信した前記複数の所定信号の既知部分を用いてアンテナウェイトを算出するステップと、を含む。
【発明の効果】
【００１７】
本発明によれば、より最適なアンテナウェイトを計算することが可能となる。
【図面の簡単な説明】
【００１８】
【図１】本発明の実施形態に係る無線通信システムの構成を示す図である。
【図２】本発明の実施形態に係る基地局の機能ブロック図である。
【図３】本発明の実施形態に係る移動局の機能ブロック図である。
【図４】本発明の実施形態に係る無線通信システムにおける基地局、移動局の動作を示す図である。
【図５】本発明の実施形態に係る無線通信システムにおける基地局、移動局の動作を示す図である。
【図６】ＰＨＳにおける、タイムスロット、ＴＤＭＡフレームおよびスーパーフレームを示す模式図である。
【発明を実施するための形態】
【００１９】
以下、本発明の実施の形態について説明する。
【００２０】
図１は、本発明の実施形態に係る無線通信システム１０を示す図である。同図に示すように、無線通信システム１０は、基地局２０と、複数の移動局３０（３０Ａ，３０Ｂ）と、を含んで構成される。
【００２１】
そして、基地局２０と移動局３０は、ＴＤＭＡ／ＴＤＤ方式を採用する通信方式を利用してデータの送受信を行う。通信方式としては、例えば、ＴＤＭＡ／ＴＤＤ方式を採用するＰＨＳ方式と、ＴＤＭＡ／ＴＤＤ方式およびＯＤＦＭＡ方式を採用するＸＧＰと、がある。なお、本実施形態では、ＰＨＳ方式を採用する無線通信システムについて述べる。
【００２２】
図２は、通信システム１０における、基地局２０の機能ブロック図である。
【００２３】
基地局２０は、複数のアンテナにアンテナウェイトを適用するアダプティブアレイ方式の基地局である。基地局２０は、図２に示すように、複数のアンテナＡＮＴ、無線通信部２１０、算出部２２０、変調・復調部２３０、Ｉ／Ｆ部２４０、記憶部２５０、制御部２６０、を含む。
【００２４】
無線通信部２１０は、複数のアンテナＡＮＴ毎に上り無線信号を受信する。そして、無線通信部２１０は、受信した上り無線信号を増幅した後にベースバンド信号に変換（ダウンコンバート）し、算出部２２０へ出力する。
【００２５】
また、無線通信部２１０は、算出部２２０から出力されたベースバンド信号を下り無線信号に変換（アップコンバート）する。そして、無線通信部２１０は、複数のアンテナＡＮＴそれぞれに対して、変換した下り無線信号を供給し、下り無線信号を送信する。
【００２６】
算出部２２０は、複数のアンテナＡＮＴ毎に受信した上り無線信号が入力され、受信の適応信号処理を行い、変調・復調部２３０へ出力する。また、算出部２２０は、変調・復調部２３０から入力されたベースバンド信号に、上り無線信号受信時に得られた無線環境に関わる情報に基づく信号処理を行い、無線通信部２１０に出力する。
【００２７】
具体的には、算出部２２０は、移動局３０より送信される所定信号に含まれる既知信号を用いて複数のアンテナＡＮＴ毎に異なる信号の位相などから、所望の移動局３０からの上り無線信号に利得を得るよう複数のアンテナＡＮＴからの信号毎に位相と振幅の重み付けを行う。また、この無線環境に関わる情報である重み付けの値（アンテナウェイト）を送信側のアンテナに対して行うことにより、所望の通信相手である移動局３０に対する送信利得を得る。
【００２８】
変調・復調部２３０は、移動局３０から受信した信号の復調及び復号処理を行い、移動局３０との通信状態に関する情報を取得する機能を有する。変調・復調部２３０では、算出部２２０を経て入力された信号について復調及び復号処理を行い、データを得る。変調・復調部２３０は、得られたデータを制御部２６０へ出力する。
【００２９】
また、変調・復調部２３０は、制御部２６０からのデータの符号化及び変調を行い、ベースバンド信号を得る。そして、変調・復調部２３０は、得られたベースバンド信号を算出部２２０に出力する。
【００３０】
Ｉ／Ｆ部２４０は、上位のネットワークから送信された移動局３０宛のデータを受信する。また、Ｉ／Ｆ部２４０は、移動局３０から受信したデータを、上位のネットワークに向けて送信する。
【００３１】
記憶部２５０は、例えばメモリによって構成され、基地局２０の制御などに用いられる各種情報を記憶する。記憶部２５０が記憶する情報には、基地局２０の、制御信号用のタイムスロットで実際に制御信号が送受信されない非上り制御信号タイムスロット、非下り制御信号タイムスロットにおける使用の有無を示す使用情報がある。ここで、使用情報は、非上り制御信号タイムスロット、非下り制御信号タイムスロットを、ＬＣＨ確立要求を送信した移動局３０が、現在所定信号の連続送信に使用している、または、後に所定信号を連続して送信することに使用することを示している。さらに、使用情報は、非上り制御信号タイムスロット、非下り制御信号タイムスロットを、移動局３０とのデータ通信に使用している、または、後にデータ通信に使用することを示している。
【００３２】
制御部２６０は、例えばＣＰＵによって構成され、基地局２０が具備する各種機能を制御する。
【００３３】
制御部２６０は、移動局３０が送信したＬＣＨ確立要求を受信すると、記憶部２５０が記憶する使用情報を参照する。そして、制御部２６０は、参照結果に基づいて、非上り制御信号タイムスロット、非下り制御信号タイムスロットが使用されるか否かを判定する。
【００３４】
制御部２６０は、使用情報の参照結果から、使用されていないと判定すると、ＬＣＨ確立要求を送信した移動局３０から所定信号が連続して送信されると判定する。そして、制御部２６０は、記憶部２５０が記憶する使用情報を更新する。
【００３５】
また、制御部２６０は、報知情報の送信タイミングになると、記憶部２５０が記憶する使用情報を報知情報に含めて送信する。
【００３６】
さらに、制御部２６０は、ＬＣＨ確立要求を送信した移動局３０にＬＣＨ割当応答を送信するタイミングになると、ＬＣＨ割当応答を移動局３０に対して送信する。
【００３７】
図３は、通信システム１０における、移動局３０の機能ブロック図である。
【００３８】
移動局３０は、図３に示すように、アンテナＡＮＴ、無線通信部３１０、変調・復調部３３０、記憶部３５０、制御部３６０、を含む。
【００３９】
無線通信部３１０は、アンテナＡＮＴにて下り無線信号を受信する。そして、無線通信部３１０は、受信した下り無線信号を増幅した後にベースバンド信号に変換（ダウンコンバート）し、変調・復調部３３０へ出力する。
【００４０】
また、無線通信部３１０は、変調・復調部３３０から出力されたベースバンド信号を下り無線信号に変換（アップコンバート）する。そして、無線通信部３１０は、アンテナＡＮＴに対して、変換した上り無線信号を供給し、上り無線信号を送信する。
【００４１】
変調・復調部３３０は、無線通信部３１０が基地局２０から受信した信号の復調及び復号処理を行い、データを得る。変調・復調部３３０は、得られたデータを制御部３６０へ出力する。
【００４２】
また、変調・復調部３３０は、制御部３６０からのデータの符号化及び変調を行い、ベースバンド信号を得る。そして、変調・復調部３３０は、得られたベースバンド信号を無線通信部３１０に出力する。
【００４３】
記憶部３５０は、例えばメモリによって構成され、移動局３０の制御などに用いられる各種情報を記憶する。また、記憶部３５０が記憶する情報には、基地局２０から送信される報知情報に含まれる使用情報がある。
【００４４】
制御部３６０は、例えばＣＰＵによって構成され、移動局３０が具備する各種機能を制御する。
【００４５】
制御部３６０は、基地局２０から報知情報を定期的に受信し、報知情報に含まれる使用情報を記憶部３５０に記憶する、または、記憶部３５０に記憶されている使用情報を更新する。
【００４６】
制御部３６０は、自局が無線通信を開始する際、ＬＣＨ確立要求を基地局２０に対して送信する。そして、制御部３６０は、記憶部３５０に記憶されている使用情報を参照して、所定信号を連続して送信するか否かを判定する。
【００４７】
制御部３６０は、使用情報の参照結果から、非上り制御信号タイムスロットが使用されると判定すると、自局は、所定信号を連続して送信しないことを決定する。一方、制御部３６０は、使用情報の参照結果から、非上り制御信号タイムスロットが使用されないと判定すると、自局が、所定信号を連続して送信することを決定する。
【００４８】
そして、制御部３６０は、非上り制御信号タイムスロットにおける、所定信号の送信タイミングとなると、所定信号を所定周期で連続して送信する。
【００４９】
次に、図４，５を用いて、無線通信システム１０における基地局２０と、移動局３０の動作を説明する。
【００５０】
図４は、基地局２０における制御信号用のタイムスロットを示す図である。図４（Ａ）に示すように、基地局２０は、制御信号用のタイムスロットとしてｓｌｏｔ３が割り当てられており、ｓｌｏｔ３には、各ＴＤＭＡフレームには、実際に制御信号の送受信に用いるタイムスロット、または、制御信号の送受信に用いないタイムスロットのいずれかが含まれている。
【００５１】
ここで、図４（Ｂ）に示すように、移動局３０が、上り制御信号タイムスロット（図４（Ｂ）の４０）でＬＣＨ割当要求を基地局２０に送信し、基地局２０が受信したとする。このとき、非上り制御信号タイムスロットは使用されていない（図４（Ｂ）の５０，５１）。そのため、移動局３０は、ＬＣＨ割当要求送信後、何れかのＴＤＭＡフレームに含まれる非上り制御信号タイムスロット（図４（Ｂ）の５０，５１）で、所定信号の連続送信を開始する。移動局３０が所定信号の連続信号を開始するタイミングとしては、移動局３０にＬＣＨ割当応答が送信される下り制御信号タイムスロット（図４（Ｂ）の６０）を含むＴＤＭＡフレームより少なくとも２つ以上前のＴＤＭＡフレームにおける非上り制御信号タイムスロット（図４（Ｂ）の５０）であればよい。
【００５２】
一方、基地局２０は、移動局３０から、非上り制御信号タイムスロット（図４（Ｂ）の５０，５１）で送信される所定信号を受信する。基地局２０の算出部２２０は受信した所定信号に含まれる既知信号を用いてアンテナウェイトを算出する。ここで、基地局２０は、移動局から非上り制御信号タイムスロット（図４（Ｂ）の５０，５１）で連続して送信される所定信号を受信している。そのため、算出部２２０は、１のＴＤＭＡフレームに含まれる非上り制御信号タイムスロット（図４（Ｂ）の５０）で送信された所定信号をもとに算出したアンテナウェイト値と、その次のＴＤＭＡフレームに含まれる非上り制御信号タイムスロット（図４（Ｂ）の５１）で送信された所定信号とをもとにアンテナウェイト値を算出（更新）していく。これにより、算出部２２０は、ＬＣＨ割当要求を送信するとともに所定信号を連続する移動局３０に、ＬＣＨ割当応答を送信する際（図４（Ｂ）の６０）、フェージングを考慮した精度の高いアンテナウェイトを算出することが可能となる。
【００５３】
図４（Ｃ）は、移動局３０が、非上り制御信号タイムスロットで基地局２０に連続送信する所定信号の例を示したものである。上部のフレームフォーマットは移動局がＬＣＨ確立要求を送信する際に用いるフレームフォーマットであり、下部のフレームフォーマットが所定信号のフレームフォーマットである。この例では、通常、ＬＣＨ確立要求を行う際、移動局３０が基地局２０に送信する割当用情報について、移動局３０が所定信号を送信するタイミングで既に基地局２０は割当処理を開始していることから、この割当情報を改めて必要としないことに基づき、この部分をＵＷに置き換える。これにより、基地局３０は既知信号を受信することができる。そして、基地局３０は所定信号に含まれる既知信号であるＵＷを用いて、アンテナウェイトを算出する。
【００５４】
さらに、図５を用いて、無線通信システム１０における基地局２０、移動局３０の動作を説明する。
【００５５】
ステップＳ１０１において、基地局２０の制御部２６０は、報知情報の送信タイミングになると、使用情報を含む報知情報を生成する。ここで、使用情報は、非上り制御信号タイムスロットが、既に使用中、または、今後使用する移動局３０がいないことを示している。
【００５６】
ステップＳ１０２において、制御部２６０は、ステップＳ１０１において生成した報知情報を送信し、移動局３０Ａ，３０Ｂは受信する。そして、移動局３０Ａ，Ｂの各制御部３６０は、受信した報知情報に含まれる使用情報を各記憶部３５０に記憶、または、記憶されている使用情報を更新する。
【００５７】
ステップＳ１０３において、移動局３０Ｂの制御部３６０は基地局２０にＬＣＨ確立要求を送信し、基地局２０は受信する。
【００５８】
ステップＳ１０４において、移動局３０Ｂの制御部３６０は、記憶部３５０に記憶する使用情報の参照結果から、自局が、所定信号を連続して送信することを決定し、所定信号の送信タイミングとなると、所定信号を送信する。
【００５９】
ステップＳ１０５において、基地局２０の制御部２６０は、所定信号に含まれる既知信号を用いてアンテナウェイトを算出する。
【００６０】
その後、移動局３０Ｂの制御部３６０は、非上り制御信号タイムスロットにて所定信号を連続して送信し（ステップＳ１０４´）、基地局２０は、所定信号を受信する度に、アンテナウェイトを算出（更新）する（ステップＳ１０５´）。このステップＳ１０４´、Ｓ１０５´の動作は、基地局２０がＬＣＨ割当応答を送信する直前のＴＤＭＡフレームまで行われる。
【００６１】
ステップＳ１０６において、基地局２０の制御部２６０は、報知情報の送信タイミングになると、使用情報を含む報知情報を生成する。ここで、使用情報は、非上り制御信号タイムスロットが既に使用中であることを示している。
【００６２】
ステップＳ１０７において、制御部２６０は、ステップＳ１０１において生成した報知情報を送信し、移動局３０Ａは受信する。そして、移動局３０Ａの制御部３６０は、受信した報知情報に含まれる使用情報を更新する。
【００６３】
ステップＳ１０８において、移動局３０Ａの制御部３６０は基地局２０にＬＣＨ確立要求を送信し、基地局２０は受信する。また、移動局３０Ａの制御部３６０は、使用情報の参照結果から、非上り制御信号タイムスロットが既に使用中であることを示しているため、その後のＴＤＭＡフレームにおける非上り制御信号タイムスロットで所定信号を送信しないことを決定する。
【００６４】
ステップＳ１０９において、基地局２０の制御部２６０は、ＬＣＨ割当応答を送信する。このとき、ＬＣＨ割当応答は、算出部２２０が直前のＴＤＭＡフレームにおいて算出したアンテナウェイトを用いて重み付けた後、無線通信部２１０、複数のアンテナＡＮＴを介して送信される。一方、移動極３０Ｂは、基地局２０から送信されたＬＣＨ割当応答を受信する。
【００６５】
ステップＳ１１０において、基地局２０と、移動局３０Ｂは通信確立し、無線通信を開始する。
【００６６】
ステップＳ１１１において、基地局２０の制御部２６０は、ＬＣＨ割当応答を送信する。一方、移動極３０Ａは、基地局２０から送信されたＬＣＨ割当応答を受信する。
【００６７】
ステップＳ１１２において、基地局２０と、移動局３０Ａは通信確立し、無線通信を開始する。
【００６８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６９】
なお、本明細書の無線通信方法における各工程は、必ずしもシーケンス図およびフローチャートとして記載された順序に沿って時系列に処理する必要はなく、並列的あるいは個別に実行される処理（例えば、並列処理あるいはオブジェクトによる処理）も含むとしてもよい。
【符号の説明】
【００７０】
１０…無線通信システム、２０…基地局、３０…移動局、４０…上り制御信号タイムスロット、５０…非上り制御信号タイムスロット、２１０，３１０…無線通信部、２２０…算出部、２３０，３３０…変調・復調部、２４０…Ｉ／Ｆ部、２５０，３５０…記憶部、２６０，３６０…制御部、ＡＮＴ…アンテナ
【図１】
2014187570.tif 000003
【図２】
2014187570.tif 000004
【図３】
2014187570.tif 000005
【図４】
2014187570.tif 000006
【図５】
2014187570.tif 000007
【図６】
2014187570.tif 000008